(57)【要約】【課題】ノートパソコンにおいて、主電源がオフ状態の下でサブシステムによって無線伝送を行い、電力消費を低減する。【解決手段】コンピュータ１１は、第１の電源供給ユニット１２、第１の回路アーキテクチャ１３、サブシステムとなる第２の回路アーキテクチャ１３１及び電源制御ユニット１４を備える。第１の回路アーキテクチャ１３は、第２の回路アーキテクチャ１３１を含み、コンピュータ装置１１がオン状態の下では、電源制御ユニット１４から提供される電源が第１の回路アーキテクチャ１３に供給され、通信ユニット１３１１が無線伝送を行う。コンピュータ装置１１がオフ状態の下では、電源制御ユニット１４から提供される電源は第２の回路アーキテクチャ１３１に供給され、通信ユニット１３１１が無線伝送を行う。【選択図】  図１
2007157103.tif 000002
【特許請求の範囲】
【請求項１】
電源を提供する電源供給ユニットと、
コンピュータ装置の主機能を提供する第１の回路アーキテクチャと、
制御ユニット、データ保存ユニットおよび通信ユニットを備える第２の回路アーキテクチャと、
前記電源供給ユニットと電気的に接続され、前記第１の回路アーキテクチャ又は第２の回路アーキテクチャに電源を供給する電源制御ユニットと、を備え、
前記第１の回路アーキテクチャは、第２の回路アーキテクチャを含み、前記コンピュータ装置がオン状態の下では、電源が前記第１の回路アーキテクチャに供給されて記通信ユニットを通じて無線伝送を行い、前記コンピュータ装置がオフ状態の下では、電源が前記第２の回路アーキテクチャに供給され、前記通信ユニットを通じて無線伝送を行うことを特徴とするコンピュータ装置。
【請求項２】
前記通信ユニットは、さらに第２の電源供給ユニットおよび第２のデータ保存ユニットを備えることを特徴とする請求項１記載のコンピュータ装置。
【請求項３】
前記通信ユニットは、さらに外部接続方式によって前記コンピュータ装置と電気的に接続されることを特徴とする請求項２記載のコンピュータ装置。
【請求項４】
前記コンピュータがオフ状態の下で、仮に前記第２の電源供給ユニットの容量が所定値以上である場合、前記第２の電源供給ユニットが電源を前記通信ユニットに提供して無線伝送を行い、仮に前記第２の電源供給ユニットの容量が前記所定値より低い場合、前記第１の電源供給ユニットが電源を前記通信ユニットに提供して無線伝送を行うことを特徴とする請求項２記載のコンピュータ装置。
【請求項５】
前記コンピュータ装置がオン状態の下で、前記第２の電源供給ユニットの容量が前記所定値より低く、前記第１の電源供給ユニットが外部接続電源のとき、第２の電源供給ユニットは第１の電源供給ユニットを介して充電を行うことを特徴とする請求項２記載のコンピュータ装置。
【請求項６】
リモートサーバと、
電源供給ユニット、電源制御ユニット、データ保存ユニット及び通信ユニットを備え、前記電源制御ユニットは前記電源供給ユニットを制御して前記コンピュータ装置がオン状態またはオフ状態の下で、前記通信ユニットを利用して前記リモートサーバと無線伝送を行うコンピュータ装置と、を備えることを特徴とする無線ネットワーク伝送システム。
【請求項７】
前記通信ユニットは、さらに第２の電源供給ユニットおよび第２のデータ保存ユニットを備えることを特徴とする請求項６記載の無線ネットワーク伝送システム。
【請求項８】
前記通信ユニットは、さらに外部接続方式によって前記コンピュータ装置と電気的に接続されることを特徴とする請求項７記載の無線ネットワーク伝送システム。
【請求項９】
前記コンピュータがオフ状態の下で、仮に前記第２の電源供給ユニットの容量が所定値以上である場合、前記第２の電源供給ユニットが電源を前記通信ユニットに提供して前記リモートサーバと無線伝送を行い、仮に前記第２の電源供給ユニットの容量が前記所定値より低い場合、前記第１の電源供給ユニットが電源を前記通信ユニットに提供して前記リモートサーバと無線伝送を行うことを特徴とする請求項７記載の無線ネットワーク伝送システム。
【請求項１０】
前記コンピュータ装置がオン状態の下で、前記第１の電源供給ユニットが外部接続電源のとき、仮に前記第２の電源供給ユニットの容量が前記所定値より低い場合、前記第２の電源供給ユニットは第１の電源供給ユニットを介して充電を行うことを特徴とする請求項７記載の無線ネットワーク伝送システム。
【請求項１１】
コンピュータ装置とリモートサーバとの無線伝送に用いられ、前記コンピュータ装置は第１の電源供給ユニット、第１の回路アーキテクチャ、第２の回路アーキテクチャおよび電源制御ユニットを備え、前記第１の電源供給ユニットは電源を提供し、前記第１の回路アーキテクチャは前記第２の回路アーキテクチャ含み、前記第２の回路アーキテクチャは制御ユニット、第１のデータ保存ユニットおよび通信ユニットを備え、
前記伝送方法は、
前記コンピュータ装置がオン状態かオフ状態かを判断するステップと、
仮に前記コンピュータがオン状態の場合、前記電源制御ユニットを使用して前記第１の回路アーキテクチャに電源を提供し、通信ユニットが前記リモートサーバと無線伝送を行うステップと、
仮に前記コンピュータ装置がオフ状態の場合、前記電源制御ユニットを使用して前記第２の回路アーキテクチャに電源を提供し、前記通信ユニットが前記リモートサーバと無線伝送を行うステップと、を含むことを特徴とする無線ネットワーク伝送方法。
【請求項１２】
前記通信ユニットとして第２の電源供給ユニットおよび第２のデータ保存ユニットを準備するステップをさらに含むことを特徴とする請求項１１記載の無線ネットワーク伝送方法。
【請求項１３】
外部接続方式によって前記コンピュータ装置と前記通信装置とを電気的に接続するステップをさらに含むことを特徴とする請求項１２記載の無線ネットワーク伝送方法。
【請求項１４】
前記コンピュータがオフ状態の下で、仮に前記第２の電源供給ユニットの容量が所定値以上である場合、前記第２の電源供給ユニットが電源を前記通信ユニットに提供して前記リモートサーバと無線伝送を行い、仮に前記第２の電源供給ユニットの容量が前記所定値より低い場合、前記第１の電源供給ユニットが電源を前記通信ユニットに提供して前記リモートサーバと無線伝送を行うステップをさらに含むことを特徴とする請求項１２記載の無線ネットワーク伝送方法。
【請求項１５】
前記コンピュータ装置がオン状態の下で、前記第１の電源供給ユニットが外部接続電源のとき、仮に前記第２の電源供給ユニットの容量が前記所定値より低い場合、前記第２の電源供給ユニットは第１の電源供給ユニットを介して充電を行うステップをさらに含むことを特徴とする請求項１２記載の無線ネットワーク伝送方法。
【発明の詳細な説明】
【技術分野】
【０００１】
本発明は、コンピュータ装置、無線ネットワーク伝送システムおよびその伝送方法に関し、特に、スイッチオフ状態の下で無線伝送を行うコンピュータ装置、無線ネットワーク伝送システムおよびその伝送方法に関する。
【背景技術】
【０００２】
近年、データ技術は日々進歩しており、ノートブックパソコンは携帯に便利なので多くの人に使用されている。出張時や個人オフィスまたはプログラム設計などでノートブックパソコンが使用されている。現在の技術から述べると、ノートブックパソコンのマイクロプロセッサの機能、演算速度はすでにデスクトップ型コンピュータのレベルに達しており、ノートブックパソコンは益々日常的に使用されている。しかし、ノートブックパソコンの空間構造の制限を受け、消費電力量および放熱に関する問題は常にノートブックパソコンの使用時間および演算機能に影響を与えている。
【０００３】
ノートブックパソコンは、携帯に便利であるという特性を備えるが、メインシステムのスイッチがオン状態のときはじめて、マイクロプロセッサおよび関連回路がＧＳＭ  ＤＡＴＡ  ＭＯＤＥＭ、ＷｉＬａｎ、Ｗｉｆｉ、ＷｉＭＡＸなどの無線ネットワーク装置を起動、動作できるので、無線ネットワーク装置はノートブックパソコンが正常なオン状態の下で電子メールの受信などの無線伝送を行うことができる。使用者が移動中にノートブックパソコンを使用して電子メールをダウンロードしたいときはノートブックパソコンの電源をオンにして電子メールのダウンロードおよび保存を行う必要があり、そのために電力を浪費してしまう。また、使用者が電子メールをダウンロード中にノートブックパソコンを持って外出する必要が起こった場合は伝送を中止して電源をオフにする必要があり、電子メールのダウンロードを中断しなければならないので不便である。
【０００４】
現在電子メールの使用頻度は非常に高く、従来技術における電子メールの受信過程は、先ずノートブックパソコンの電源をオンにした後、メール管理ソフトを起動し、このとき、無線通信装置を通じて電子メールがダウンロードされる。ノートブックパソコンの電源がオフ状態のときは電子メールのダウンロードはできない。使用者がただ電子メールのダウンロードを行いたい場合でもノートブックパソコンの電源をオンにし、関連ソフトまたはシステムを起動する必要があり、非常に不便であり、電力を浪費する。
【０００５】
従来技術の各問題に鑑み、本発明の発明者は長年に渡る研究開発および経験に基づき、上述の従来技術の欠点を解決したコンピュータ装置、無線ネットワーク伝送システムおよび伝送方法を案出した。
【特許文献１】特開２００６−２５２１２号公報
【特許文献２】特開２００４−１３９５８０号公報
【発明の開示】
【発明が解決しようとする課題】
【０００６】
本発明の目的は、スイッチがオフ状態の下で無線伝送を行うコンピュータ装置、無線ネットワーク伝送システムおよびその伝送方法を提供することにある。
【課題を解決するための手段】
【０００７】
本発明は、コンピュータ装置を提供し、第１の電源供給ユニット、第１の回路アーキテクチャ、第２の回路アーキテクチャおよび電源制御ユニットを備える。第１の電源供給ユニットは電源を提供する。第１の回路アーキテクチャはコンピュータ装置の主な機能を提供する。第２の回路アーキテクチャは、第１の保存ユニット、制御ユニットおよび通信ユニットを備える。電源制御ユニットは第１の電源供給ユニットと電気的に接続され、第１の回路アーキテクチャまたは第２の回路アーキテクチャに電源を供給する。第１の回路アーキテクチャは第２の回路アーキテクチャを含む。コンピュータ装置がオン状態の下では、電源が第１の回路アーキテクチャに供給され、通信ユニットを通じて無線伝送を行う。コンピュータ装置がオフ状態の下では、電源が第２の回路アーキテクチャに供給され、通信ユニットを通じて無線伝送を行う。
【０００８】
本発明はさらにリモートサーバおよびコンピュータ装置を備える無線ネットワーク伝送システムを提供する。コンピュータ装置は、第１の電源供給ユニット、電源制御ユニットおよび通信ユニットを備え、電源制御ユニットは電源供給ユニットを制御してコンピュータ装置がオン状態またはオフ状態の下で、通信ユニットを利用してリモートサーバと無線伝送を行う。
【０００９】
本発明の無線ネットワーク伝送方法は、コンピュータ装置とリモートサーバとの無線伝送に用いられ、コンピュータ装置は第１の電源供給ユニット、第１の回路アーキテクチャ、第２の回路アーキテクチャおよび電源制御ユニットを備え、第１の電源供給ユニットは電源を提供し、第１の回路アーキテクチャは第２の回路アーキテクチャを含み、第２の回路アーキテクチャは制御ユニット、第１の保存ユニットおよび通信ユニットを備える。伝送方法においては、コンピュータ装置がオン状態かオフ状態かを判断するステップと、仮にコンピュータがオン状態の場合、電源制御ユニットを使用して第１の回路アーキテクチャに電源を提供し、通信ユニットがリモートサーバと無線伝送を行うステップと、仮にコンピュータ装置がオフ状態の場合、電源制御ユニットを使用して第２の回路アーキテクチャに電源を提供し、通信ユニットがリモートサーバと無線伝送を行うステップとを含む。
【発明の効果】
【００１０】
電源制御ユニットが電源供給ユニットと電気的に接続され、電源が第１の回路アーキテクチャまたは第２の回路アーキテクチャに提供される。コンピュータ装置がオン状態の下では電源は第１の回路アーキテクチャに提供され、通信ユニットがリモートサーバと無線伝送を行う。オフ状態の下では電源は第２の回路アーキテクチャに提供され、コンピュータ装置は継続して無線伝送を行うことができ、伝送が中断されることがなく、使用者はオフ状態の下でもネットワーク接続を継続でき、利便性を高めることができ、コンピュータ装置の電源消費を節約できる。
【発明を実施するための最良の形態】
【００１１】
本発明の好適な実施例を図に沿って下記に示す。
【００１２】
図１は、本発明のコンピュータ装置を示すブロック図である。図中、本発明によるコンピュータ装置１１は、第１の電源供給ユニット１２、第１の回路アーキテクチャ１３、第２の回路アーキテクチャ１３１および電源制御ユニット１４を備える。第１の電源供給ユニット１２は電源を提供する。第１の回路アーキテクチャ１３はコンピュータ装置１１の主な機能を提供する。第２の回路アーキテクチャ１３１は、制御ユニット１５、第１の保存ユニット１３１２及び通信ユニット１３１１を備える。第１の保存ユニット１３１２はデータの保存に用いられ、通信ユニット１３１１は無線伝送機能を提供し、制御ユニット１５は例えばＦＴＰ（File Transfer Protocol）を執行し、通信ユニット１３１１を通じて無線伝送を行う。電源制御ユニット１４は、第１の電源供給ユニット１２と電気的に接続され、第１の回路アーキテクチャ１３又は第２の回路アーキテクチャ１３１に電源を供給する。第１の回路アーキテクチャ１３は第２の回路アーキテクチャ１３１を含む。コンピュータ装置１１がオン状態の下では、第１の電源供給ユニット１２から提供される電源は第１の回路アーキテクチャ１３に供給され、通信ユニット１３１１を通じて無線伝送を行う。コンピュータ装置１１がオフ状態の下では、第１の電源供給ユニット１２から提供される電源は第２の回路アーキテクチャ１３１に供給され、通信ユニット１３１１を通じて無線伝送を行う。無線伝送はデータのダウンロードを含み、ダウンロードされたデータは第１の保存ユニット１３１２に保存される。上述の制御ユニット１５はマイクロ制御チップが好ましく、第１の電源供給ユニット１２はバッテリまたは外部接続電源が好ましく、通信ユニット１３１１はＧＳＭ  ＤＡＴＡ  ＭＯＤＥＭ、ＷｉＬａｎ、ＷｉｆｉまたはＷｉＭＡＸなどの無線通信装置が好ましく、第１の保存ユニット１３１２はハードディスク装置または光学ディスク装置が好ましく、電源制御ユニット１４は少なくとも一つの電子スイッチが好ましい。
【００１３】
図２、３、４は本発明のコンピュータ装置の一実施例を示すブロック図である。図中、ノートブックパソコン２１を例として説明を行う。ノートブックパソコン２１は第１のバッテリ２２、メイン回路アーキテクチャ２３、サブ回路アーキテクチャ２３１および電子スイッチ２４を備える。第１のバッテリ２２は電源の提供に用いられる。メイン回路アーキテクチャ２３はノートブックパソコン２１の主な機能を提供し、少なくともマイクロプロセッサ２３１２、入力装置２３１３および表示チップ２３１４を備え、マイクロプロセッサ２３１２は演算執行に用いられ、入力装置２３１３はデータ入力に用いられ、表示チップ２３１４は表示に用いられる。サブ回路アーキテクチャ２３１はマイクロ制御チップ２３１１、ハードディスク装置２３１５およびＧＳＭ  ＤＡＴＡ  ＭＯＤＥＭ、ＷｉＬａｎ、ＷｉｆｉまたはＷｉＭＡＸなどの無線通信装置２３１６を備える。
メイン回路アーキテクチャ２３は、サブ回路アーキテクチャ２３１を備える。電子スイッチ２４は第１のバッテリ２２をメイン回路アーキテクチャ２３への電源供給回路に切換えるか、サブ回路アーキテクチャ２３１への電源供給回路に切換える。ノートブックパソコン２１のオン状態の下では、図３に示すように、電子スイッチ２４は第１のバッテリ２２からメイン回路アーキテクチャへの電源供給回路へと切換え、無線通信装置２３１６が無線伝送を行う。
ノートブックパソコン２１がオフ状態の下では、図４に示すように、電子スイッチ２４は第１のバッテリ２２からサブ回路アーキテクチャへ２３１の電源供給回路へと切換え、無線通信装置２３１６が無線伝送を行う。上述の無線伝送はデータのアップロードまたはデータのダウンロードを含み、アップロードまたはダウンロードされたデータはハードディスク装置２３１５に保存される。
【００１４】
また、ノートブックパソコン２１がオン状態のときマイクロ制御チップ２３１１が無線通信装置２３１６を制御して無線伝送を行うので、マイクロプロセッサ２３１２への負荷を軽減でき、ノートブックパソコン２１の効率を高めることができる。
【００１５】
図５は本発明のコンピュータ装置のもう一つの実施例を示すブロック図である。図中、ノートブックパソコン２１は第１の電源５１、メイン回路アーキテクチャ２３、サブ回路アーキテクチャ２３１及び電子スイッチ２４を備える。第１の電源５１は、電源の提供に用いられる。メイン回路アーキテクチャ２３はノートブックパソコン２１の主な機能を提供し、少なくともマイクロプロセッサ２３１２、入力装置２３１３および表示チップ２３１４を備える。サブ回路アーキテクチャ２３１はマイクロ制御チップ２３１１、ハードディスク装置２３１５および無線通信装置２３１７を備える。無線通信装置２３１７は第２の電源２３１８および第２の保存ユニット２３１９を備える。メイン回路アーキテクチャ２３は、サブ回路アーキテクチャ２３１を含む。上述の第２の保存ユニット２３１９はメモリーカードまたはフラッシュメモリーが好ましい。ノートブックパソコン２１がオフ状態の下で、仮に第２の電源２３１８の容量が所定の値以上ある場合、第２の電源２３１８から提供される電源が無線通信装置２３１７に供給されて無線伝送を行い、仮に第２の電源２３１８の容量が所定値に不足する場合、第１の電源５１から提供される電源が無線通信装置２３１７に供給されて無線伝送を行う。ノートブックパソコン２１がオン状態の下では、第１の電源５１から提供される電源は無線通信装置２３１７に供給されて無線伝送を行い、仮に第２の電源２３１８の容量が前記所定の値に満たない状態で、第１の電源５１が外部接続電源のとき、第２の電源２３１８は第１の電源５１を介して充電を行い、長時間の移動時のダウンロードに必要な電源を確保できる。
上述の無線伝送はデータのアップロードまたはデータのダウンロードを含み、ノートブックパソコン２１がオフ状態の下では、マイクロ制御チップ２３１１がアップロードまたはダウンロードされたデータをハードディスク装置２３１５に保存するか、第２の保存ユニット２３１９に保存するかの選択を制御し、ノートブックパソコン２１がオン状態の下では、マイクロプロセッサ２３１２またはマイクロ制御チップ２３１１がアップロードまたはダウンロードされたデータをハードディスク装置２３１５に保存し、必要に応じて手動または自動的に、オフ状態の下でダウンロードされたデータを第２の保存ユニット２３１９からハードディスク２３１５装置へと保存する。
【００１６】
使用者はオフ状態の下で無線通信ユニット２３１７によってデータをダウンロードするとき、ノートブックパソコン２１の適当な位置に液晶表示モジュール（ＬＣＭ）を設置して無線伝送の状態を表示することができる。このメッセージは「ダウンロード状態」または「ダウンロード率」とすることができ、使用者はオン状態のとき無線通信ユニットによってデータのダウンロードを行うとき、ノートブックパソコン２１のモニター表示を通じてダウンロードの状態を知ることができる。
【００１７】
図６は、本発明の無線ネットワーク伝送システムを示すブロック図である。図中、本発明による無線ネットワーク伝送システムは、リモートサーバ６１およびコンピュータ装置１１（図１に示す）を備え、コンピュータ装置１１は、少なくとも第１の電源供給ユニット１２、第１の回路アーキテクチャ１３、第２の回路アーキテクチャ１３１および電源制御ユニット１４を備える。第１の回路アーキテクチャ１３はコンピュータ装置１１の主な機能を提供する。第２の回路アーキテクチャ１３１は少なくとも、制御ユニット１５、第１の保存ユニット１３１２及び通信ユニット１３１１を備える。第１の保存ユニット１３１２はデータの保存に用いられ、通信ユニット１３１１は無線伝送機能を提供し、制御ユニット１５は例えばＦＴＰ（File Transfer Protocol）を執行し、通信ユニット１３１１を通じて無線伝送を行う。電源制御ユニット１４は第１の電源供給ユニット１２と電気的に接続され、第１の回路アーキテクチャ１３又は第２の回路アーキテクチャ１３１に電源を供給する。第１の回路アーキテクチャ１３は、第２の回路アーキテクチャ１３１を含む。コンピュータ装置１１がオン状態の下では、第１の電源供給ユニット１２から提供される電源は、第１の回路アーキテクチャ１３に供給され、通信ユニット１３１１を通じてリモートサーバ６１と無線伝送を行う。コンピュータ装置１１がオフ状態の下では、第１の電源供給ユニット１２から提供される電源は第２の回路アーキテクチャ１３１に供給され、通信ユニット１３１１を通じてリモートサーバ６１と無線伝送を行う。無線伝送とは通信ユニット１３１１とリモートサーバ６１との間の無線通信プロトコルによるパッキングデータの伝送を指し、無線通信はデータのアップロードまたはデータのダウンロードを含み、アップロードデータまたはダウンロードデータは第１の保存ユニット１３１２に保存される。上述の第１の電源供給ユニット１２はバッテリまたは外部接続電源が好ましく、制御ユニット１５はマイクロ制御チップが好ましく、通信ユニット１３１１はＧＳＭ  ＤＡＴＡ  ＭＯＤＥＭ、ＷｉＬａｎ、ＷｉｆｉまたはＷｉＭＡＸなどの無線通信装置が好ましく、第１の保存ユニット１３１２はハードディスク装置又は光学ディスク装置が好ましく、電源制御ユニット１４は少なくとも一つの電子スイッチが好ましい。
【００１８】
図７は、本発明の無線ネットワーク伝送方法を示すフロー図であり、図１に示すコンピュータ装置１１とリモートサーバ６１との無線伝送に用いられ、ステップＳ７１は、コンピュータ装置１１がオン状態かオフ状態かを判断する。ステップＳ７２は、仮にコンピュータ１１がオン状態の場合、電源制御ユニット１４を使用して第１の回路アーキテクチャ１３に電源を提供し、通信ユニット１３１１がリモートサーバ６１と無線伝送を行う。Ｓ７３のステップは、仮にコンピュータ装置１１がオフ状態の場合、電源制御ユニット１４を使用して第２の回路アーキテクチャ１３１に電源を提供し、通信ユニット１３１１がリモートサーバ６１と無線伝送を行う。上述のステップによって本発明の無線ネットワーク伝送が行われる。
【００１９】
図８は、本発明の無線ネットワーク伝送方法の一実施例を示すフロー図であり、図５に示すノートブックパソコン２１とリモートサーバ６１との無線伝送に用いられ、ステップＳ８１は、ノートブックパソコン２１がオン状態かオフ状態かを判断する。ステップＳ８２は、仮にノートブックパソコン２１がオン状態の場合、第１の電源５１をメイン回路アーキテクチャ２３への電源供給回路へと切換え、第１の電源５１から提供される電源は無線通信装置２３１７に供給され、リモートサーバ６１と無線伝送を行う。ステップ８３は、第２の電源２３１８の容量が所定値より低いかどうかの判断を行う。ステップ８４は仮に第２の電源２３１８の容量が所定値に満たない状態にあって、第１の電源５１が外部接続電源であるとき、第２の電源２３１８は第１の電源５１を介して充電を行う。ステップ８８は、仮にノートブックパソコン２１がオフ状態の場合、第１の電源５１をサブ回路アーキテクチャ２３１への電源供給回路へと切換える。ステップ８５は第２の電源２３１８が所定容量よりも高いかどうかの判断を行う。ステップ８６は仮に第２の電源２３１８の容量が所定値以上である場合、第２の電源２３１８から提供される電源が無線通信装置２３１７に供給され、リモートサーバ６１と無線伝送を行う。ステップ８７は仮に第２の電源２３１８の容量が所定値以下である場合、第１の電源５１から提供される電源が無線通信装置２３１７に供給され、リモートサーバ６１と無線伝送を行う。上述のステップにより本発明の無線ネットワーク伝送方法の一実施例が行われる。
【００２０】
図９は、本発明の無線ネットワーク伝送方法のもう一つの実施例を示すフロー図であり、図５に示すノートブックパソコン２１の電子メール受信に用いられ、ステップＳ９１は、ノートブックパソコン２１がオン状態かオフ状態かを判断する。ステップＳ９２は、仮にノートブックパソコン２１がオン状態の場合、第１の電源５１をメイン回路アーキテクチャ２３への電源供給回路へと切換え、第１の電源５１から提供される電源は無線通信装置２３１７に供給されて電子メール受信を行う。ステップ９３は第２の電源２３１８の容量が所定値より低いかどうかの判断を行う。ステップ９４は仮に第２の電源２３１８の容量が所定値よりも低く、第１の電源５１が外部接続電源であるとき、第２の電源２３１８は第１の電源５１を介して充電を行う。ステップ９８は仮にノートブックパソコン２１がオフ状態の場合、第１の電源５１をサブ回路アーキテクチャ２３１への電源供給回路へと切換える。ステップ９５は、第２の電源２３１８が所定容量よりも高いかどうかの判断を行う。ステップ９６は仮に第２の電源２３１８の容量が所定値よりも高い場合、第２の電源２３１８から提供される電源が無線通信装置２３１７に供給され、電子メールのダウンロードを行い、ダウンロードした電子メールを第２の保存ユニット２３１９に保存する。ステップ９７は仮に第２の電源２３１８の容量が所定値よりも低い場合、第１の電源５１から提供される電源は無線通信装置２３１７に供給され、電子メールのダウンロードを行い、ダウンロードした電子メールを第２の保存ユニット２３１９またはハードディスク装置２３１５に保存する。上述のステップにより本発明の無線ネットワーク伝送方法のもう一つの実施例が行われる。
【００２１】
使用者はコンピュータ装置がオン状態またはオフ状態にかかわらず、通信ユニット１３１１を通じてリモートサーバ６１と無線伝送を行うことができ、コンピュータ装置１１の使用上の利便性を大幅に高めることができる。特に、コンピュータ装置１１がオフ状態の下で、消費電力が少なく、低発熱のサブ回路アーキテクチャ２３１を利用してデータ伝送を行うことができ、伝送データを保存媒体へと保存でき、バッテリの使用時間および寿命を長くでき、データの伝送作業を中断しなくてもよい。
【００２２】
上述の詳細な説明は本発明の実施例を示したものであり、本発明の主旨を逸脱しない範囲における修正または変更はすべて本発明の範囲に含まれる。
【図面の簡単な説明】
【００２３】
【図１】本発明のコンピュータ装置を示すブロック図である。
【図２】本発明のコンピュータ装置の一実施例を示すブロック図である。
【図３】本発明のコンピュータ装置の一実施例を示すブロック図である。
【図４】本発明のコンピュータ装置の一実施例を示すブロック図である。
【図５】本発明のコンピュータ装置のもう一つの実施例を示すブロック図である            。
【図６】本発明の無線ネットワーク伝送システムを示すブロック図である。
【図７】本発明の無線ネットワーク伝送方法を示すフロー図である。
【図８】本発明の無線ネットワーク伝送方法の一実施例を示すフロー図である。
【図９】本発明の無線ネットワーク伝送方法のもう一つの実施例を示すフロー図である。
【符号の説明】
【００２４】
１１      コンピュータ装置
１２      第１の電源供給ユニット
１３      第１の回路アーキテクチャ
１３１    第２の回路アーキテクチャ
１３１１  通信ユニット
１３１２  第１の保存ユニット
１４      電源制御ユニット
１５      制御ユニット
２１      ノートブックパソコン
２２      第１のバッテリ
２３    メイン回路アーキテクチャ
２３１    サブ回路アーキテクチャ
２３１１  マイクロ制御チップ
２３１２  マイクロプロセッサ
２３１３  入力装置
２３１４  表示チップ
２３１５  ハードディスク装置
２３１６、２３１７  無線通信装置
２３１８  第２の電源
２３１９  第２の保存ユニット
２４      電子スイッチ
５１      第１の電源
６１      リモートサーバ
【図１】
2007157103.tif 000003
【図２】
2007157103.tif 000004
【図３】
2007157103.tif 000005
【図４】
2007157103.tif 000006
【図５】
2007157103.tif 000007
【図６】
2007157103.tif 000008
【図７】
2007157103.tif 000009
【図８】
2007157103.tif 000010
【図９】
2007157103.tif 000011